【手続補正書】
【提出日】平成20年9月17日(2008.9.17)
【手続補正１】
【補正対象書類名】明細書
【補正対象項目名】特許請求の範囲
【補正方法】変更
【補正の内容】
【特許請求の範囲】
【請求項１】 
映像データを所定のネットワークを介してクライアントに対して配信する情報処理装置であって、
配信及び／又は配信に備えて作成した映像データを記録する記録手段と、
上記映像データに付帯する各種情報を取得し、上記記録手段に記録された上記映像データを含む配信履歴情報を作成する配信履歴作成手段と、
上記配信履歴作成手段によって作成された上記配信履歴情報を読み込みリストアップし、情報リストを構築するリストアップ手段と
を備えることを特徴とする情報処理装置。
【請求項２】
上記リストアップ手段は、過去の配信履歴情報を読み込みリストアップすることを特徴とする請求項１記載の情報処理装置。
【請求項３】
上記配信履歴作成手段は、配信予定である未来の予約情報を取得し、
上記リストアップ手段は、上記予約情報をリストアップすることを特徴とする請求項１記載の情報処理装置。
【請求項４】
上記配信履歴作成手段は、上記映像データを構成する１枚目の静止画像データをサムネイル画像として取得し、上記サムネイル画像の名称を上記配信履歴情報として記述することを特徴とする請求項１記載の情報処理装置。
【請求項５】
上記配信履歴作成手段は、配信した映像データに対するフィードバック情報を取得し、上記フィードバック情報を上記配信履歴情報として記述することを特徴とする請求項１記載の情報処理装置。
【請求項６】
各種情報を表示画面に表示する表示手段と、
上記リストアップ手段によってリストアップして構築された上記情報リストを、上記映像データを閲覧鑑賞可能として、上記表示手段に表示させる制御手段とを備えることを特徴とする請求項１記載の情報処理装置。
【請求項７】
所定のネットワークを介してクライアントに対して配信した映像データ及び／又は配信に備えて作成した映像データをリストアップする情報リスト構築方法であって、
配信及び／又は配信に備えて作成した映像データを記録手段に記録するとともに、上記映像データに付帯する各種情報を取得し、上記記録手段に記録された上記映像データを含む配信履歴情報を作成する配信履歴作成工程と、
上記配信履歴作成工程にて作成された上記配信履歴情報を読み込みリストアップし、情報リストを構築するリストアップ工程とを備えることを特徴とする情報リスト構築方法。
【請求項８】
所定のネットワークを介してクライアントに対して配信した映像データ及び／又は配信に備えて作成した映像データをリストアップするコンピュータ制御可能な情報リスト構築プログラムであって、
配信及び／又は配信に備えて作成した映像データを記録手段に記録するとともに、上記映像データに付帯する各種情報を取得し、上記記録手段に記録された上記映像データを含む配信履歴情報を作成する配信履歴作成処理と、
上記配信履歴作成処理にて作成された上記配信履歴情報を読み込みリストアップし、情報リストを構築するリストアップ処理と
を備えることを特徴とする情報リスト構築プログラム。
【請求項９】 
所定のネットワークを介してクライアントに対して配信した映像データ及び／又は配信に備えて作成した映像データをリストアップするコンピュータ制御可能な情報リスト構築プログラムが記録された記録媒体であって、
上記情報リスト構築プログラムは、
配信及び／又は配信に備えて作成した映像データを記録手段に記録するとともに、上記映像データに付帯する各種情報を取得し、上記記録手段に記録された上記映像データを含む配信履歴情報を作成する配信履歴作成処理と、
上記配信履歴作成処理にて作成された上記配信履歴情報を読み込みリストアップし、情報リストを構築するリストアップ処理と
を備えることを特徴とする情報リスト構築プログラムが記録された記録媒体。
【手続補正２】
【補正対象書類名】明細書
【補正対象項目名】０００７
【補正方法】変更
【補正の内容】
【０００７】
【課題を解決するための手段】
上述した目的を達成する本発明にかかる情報処理装置は、映像データを所定のネットワークを介してクライアントに対して配信する情報処理装置であって、配信及び／又は配信に備えて作成した映像データを記録する記録手段と、映像データに付帯する各種情報を取得し、上記記録手段に記録された上記映像データを含む配信履歴情報を作成する配信履歴作成手段と、この配信履歴作成手段によって作成された上記配信履歴情報を読み込みリストアップし、情報リストを構築するリストアップ手段とを備えることを特徴としている。
【手続補正３】
【補正対象書類名】明細書
【補正対象項目名】０００８
【補正方法】変更
【補正の内容】
【０００８】
このような本発明にかかる情報処理装置は、リストアップ手段によって映像データとこの映像データに付帯する各種情報とを含む配信履歴情報を読み込みリストアップし、情報リストを構築する。
【手続補正４】
【補正対象書類名】明細書
【補正対象項目名】０００９
【補正方法】変更
【補正の内容】
【０００９】
また、上述した目的を達成する本発明にかかる情報リスト構築方法は、所定のネットワークを介してクライアントに対して配信した映像データ及び／又は配信に備えて作成した映像データをリストアップする情報リスト構築方法であって、配信及び／又は配信に備えて作成した映像データを記録手段に記録するとともに、映像データに付帯する各種情報を取得し、記録手段に記録された映像データを含む配信履歴情報を作成する配信履歴作成工程と、この配信履歴作成工程にて作成された配信履歴情報を読み込みリストアップし、情報リストを構築するリストアップ工程とを備えることを特徴としている。
【手続補正５】
【補正対象書類名】明細書
【補正対象項目名】００１０
【補正方法】変更
【補正の内容】
【００１０】
このような本発明にかかる情報リスト構築方法は、映像データとこの映像データに付帯する各種情報とを含む配信履歴情報を読み込みリストアップし、情報リストを構築する。
【手続補正６】
【補正対象書類名】明細書
【補正対象項目名】００１１
【補正方法】変更
【補正の内容】
【００１１】
さらに、上述した目的を達成する本発明にかかる情報リスト構築プログラムは、所定のネットワークを介してクライアントに対して配信した映像データ及び／又は配信に備えて作成した映像データをリストアップするコンピュータ制御可能な情報リスト構築プログラムであって、配信及び／又は配信に備えて作成した映像データを記録手段に記録するとともに、映像データに付帯する各種情報を取得し、記録手段に記録された映像データを含む配信履歴情報を作成する配信履歴作成処理と、この配信履歴作成処理にて作成された配信履歴情報を読み込みリストアップし、情報リストを構築するリストアップ処理とを備えることを特徴としている。
【手続補正７】
【補正対象書類名】明細書
【補正対象項目名】００１２
【補正方法】変更
【補正の内容】
【００１２】
このような本発明にかかる情報リスト構築プログラムは、実行されると、映像データとこの映像データに付帯する各種情報とを含む配信履歴情報を読み込みリストアップし、情報リストを構築する。
【手続補正８】
【補正対象書類名】明細書
【補正対象項目名】００１３
【補正方法】変更
【補正の内容】
【００１３】
さらにまた、上述した目的を達成する本発明にかかる情報リスト構築プログラムが記録された記録媒体は、所定のネットワークを介してクライアントに対して配信した映像データ及び／又は配信に備えて作成した映像データをリストアップするコンピュータ制御可能な情報リスト構築プログラムが記録された記録媒体であって、情報リスト構築プログラムは、配信及び／又は配信に備えて作成した映像データを記録手段に記録するとともに、映像データに付帯する各種情報を取得し、記録手段に記録された映像データを含む配信履歴情報を作成する配信履歴作成処理と、この配信履歴作成処理にて作成された配信履歴情報を読み込みリストアップし、情報リストを構築するリストアップ処理とを備えることを特徴としている。
【手続補正９】
【補正対象書類名】明細書
【補正対象項目名】００１４
【補正方法】変更
【補正の内容】
【００１４】
このような本発明にかかる情報リスト構築プログラムが記録された記録媒体は、実行されると、映像データとこの映像データに付帯する各種情報とを含む配信履歴情報を読み込みリストアップし、情報リストを構築する情報リスト構築プログラムを提供する。